(57)【要約】【課題】ユーザの意に反する無線タグを読取ることを防止し、ＲＦＩＤリーダ固有の設定を容易に行えるＲＦＩＤシステム構築方法及びＲＦＩＤシステムを提供する。【解決手段】ＲＦＩＤリーダ２００は、設定ボタン２０３を押すことによりＲＦＩＤリーダのモードを通常モードから設定変更モードに移行させ、アンテナ部２０２からＲＦＩＤリーダ設定用の弱い電波を出力する。無線タグ１００が検知されると、無線タグ１００の記憶部１０３からデータを読取り、ＲＦＩＤリーダ制御コンピュータ３００によりＲＦＩＤリーダの設定変更が認められた場合には、読取った情報に基づいてＲＦＩＤリーダ２００の設定を変更し、変更された設定の情報を設定保持部２０４に保存する。【選択図】図１
2010097280.tif 000002
【特許請求の範囲】
【請求項１】
ＲＦＩＤリーダのモードを通常モードから設定変更モードに移行するかの入力を受付けるステップと、
前記モードを移行するステップと、
無線タグがＲＦＩＤリーダに翳されたことを検知するステップと、
前記検知するステップにより検知された無線タグからデータを読取るステップと、
前記ＲＦＩＤリーダの設定変更の可否を判断するステップと、
前記判断するステップによりＲＦＩＤリーダの設定変更が認められた場合に、前記読取るステップにより読取られた情報に基づいてＲＦＩＤリーダの設定を変更するステップと、
前記変更するステップにより変更された設定の情報を保存するステップと、を有することを特徴とするＲＦＩＤシステム構築方法。
【請求項２】
前記受付けるステップは、設定ボタンの押下によりＲＦＩＤリーダの通常モードから設定変更モードへの移行を受付けることを特徴とする請求項１記載のＲＦＩＤシステム構築方法。
【請求項３】
前記設定変更モードは、通常モードよりもＲＦＩＤリーダの出力電波が弱いことを特徴とする請求項１又は２に記載のＲＦＩＤシステム構築方法。
【請求項４】
前記検知するステップは、前記通常モードの電波よりも弱い電波を常に出力している無線タグ読取専用アンテナにより無線タグがＲＦＩＤリーダに翳されたことを検知し、
前記移行するステップは、前記検知するステップにより無線タグがＲＦＩＤリーダに翳されたことを検知した場合に、前記設定変更モードへ移行することを特徴とする請求項１記載のＲＦＩＤシステム構築方法。
【請求項５】
前記変更するステップによりＲＦＩＤリーダの設定が変更される前の設定の情報を保存するステップをさらに有し、
前記保存するステップは、前記読取るステップにより無線タグからデータを読取る前に、前記変更される前の設定の情報を保存することを特徴とする請求項１から４の何れか１項に記載のＲＦＩＤシステム構築方法。
【請求項６】
無線タグと、少なくとも１以上のＲＦＩＤリーダと、情報処理装置と、を有するＲＦＩＤシステムであって、
前記無線タグは、
電波を送受信する電波送受信手段と、
前記ＲＦＩＤリーダの設定内容を記録する記録手段と、を有し、
前記ＲＦＩＤリーダは、
電波を送受信する第１の電波送受信手段と、
前記ＲＦＩＤリーダのモードを通常モードから設定変更モードに移行するかの入力を受付けるモード移行受付手段と、
前記ＲＦＩＤの設定内容を保存する設定保持手段と、
前記ＲＦＩＤの動作を制御する制御手段と、を有し、
前記制御手段は、前記無線タグの記録手段に記録されたＲＦＩＤリーダの設定内容を読取り、該読取ったＲＦＩＤリーダの設定内容に基づいて前記ＲＦＩＤリーダの設定内容を変更することを特徴とするＲＦＩＤシステム。
【請求項７】
前記モード移行受付手段は、設定ボタンであることを特徴とする請求項６記載のＲＦＩＤシステム。
【請求項８】
前記制御手段は、前記モード移行受付手段により入力を受付けた場合は、前記第１の電波送受信手段の送信電波を前記通常モードよりも弱くし、
前記第１の電波送受信手段は、前記無線タグが翳されたかを検知することを特徴とする請求項６又は７記載のＲＦＩＤシステム。
【請求項９】
前記無線タグが翳されたかを検知する第２の電波送受信手段をさらに有し、
前記第２の電波送受信手段は、常に前記通常モードの電波よりも弱い電波を送信することを特徴とする請求項６記載のＲＦＩＤシステム。
【請求項１０】
前記記録手段は、現在の前記ＲＦＩＤリーダの設定内容も記録することを特徴とする請求項６から９の何れか１項に記載のＲＦＩＤシステム。
【請求項１１】
前記ＲＦＩＤリーダは、時間を計測するタイマ手段をさらに有し、
前記制御手段は、前記設定変更モードに移行してから前記タイマ手段により一定時間が経過したと計測された場合には、通常モードへ移行することを特徴とする請求項６から１０の何れか１項に記載のＲＦＩＤシステム。
【請求項１２】
少なくとも１以上のＲＦＩＤリーダと、情報処理装置と、を有するＲＦＩＤシステムであって、
前記ＲＦＩＤリーダは、モードとして通常モードと設定変更モードとを備え、
前記ＲＦＩＤリーダの設定内容を格納した外部装置を接続する外部装置接続手段と、
前記ＲＦＩＤの設定内容を保存する設定保持手段と、
前記ＲＦＩＤの動作を制御する制御手段と、を有し、
前記制御部は、前記外部装置接続手段により外部装置が接続された場合には、モードを前記設定変更モードへ移行し、接続された前記外部装置に格納されたＲＦＩＤリーダの設定内容に基づいて前記ＲＦＩＤリーダの設定内容を変更することを特徴とするＲＦＩＤシステム。
【請求項１３】
前記外部装置は、ＵＳＢメモリであることを特徴とする請求項１２記載のＲＦＩＤシステム。
【発明の詳細な説明】
【技術分野】
【０００１】
本発明は、ＲＦＩＤリーダの設定変更に無線タグを用いるＲＦＩＤシステム構築方法及びＲＦＩＤシステムに関する。
【背景技術】
【０００２】
近年、微細な無線タグやＰＣ（Personal Computer）を用いて人やものを識別又は管理するＲＦＩＤ(Radio Frequency IDentification)システムが普及している。このＲＦＩＤシステムは、タグに情報を書き込み、その情報をリーダによって非接触で読み出すことができるシステムである。ＲＦＩＤシステムを構築する場合は一般的に複数台のＲＦＩＤリーダを用いる。このため、ＲＦＩＤリーダへの設定を行う際に、同じような設定内容を全てのＲＦＩＤリーダについて行わなければならず、作業中に設定間違い、設定漏れなどの作業ミスによりＲＦＩＤリーダが正常に動作しないことがあるという問題があった。
【０００３】
さらに、上記したＲＦＩＤシステムにおいて各ＰＣへ接続するためのＲＦＩＤリーダの固有の設定は不可欠である。このＲＦＩＤリーダ固有の設定は、通常ＰＣ上から行われていた。そのため、作業者はＲＦＩＤシステム全体の知識及びＲＦＩＤリーダの設定を行うＰＣについての知識が必要であった。しかし、ユーザ先の現場でＲＦＩＤシステムの構築を行う作業者は、ＲＦＩＤに関しての知識が十分でない場合が多く、また、ＲＦＩＤリーダ固有の設定を行う際に作業者の設定ミスによるＲＦＩＤリーダの動作不良が発生しやすいという問題があった。
【０００４】
上記問題を解決するために、ＰＣから設定を行うのではなく、非接触ＩＣカードを非接触カードリーダライタに翳す回数や時間により、非接触カードリーダライタの設定変更を行う技術が開示されている（例えば、特許文献１）。
【特許文献１】特開２００７−１３３６０７号公報
【発明の開示】
【発明が解決しようとする課題】
【０００５】
しかし、上述した技術は、非接触ＩＣカードを読取ることで自動的に非接触カードリーダライタの設定を更新するものであり、意図せずに非接触ＩＣカードを読取った場合であっても、非接触ＩＣカードに基づいて設定を更新してしまうという問題があった。
【０００６】
本発明はこのような実情を鑑みてなされたものであり、ユーザの意に反する無線タグを読取ることを防止し、ＲＦＩＤリーダ固有の設定を容易に行えるＲＦＩＤシステム構築方法及びＲＦＩＤシステムを提供することを目的とする。
【課題を解決するための手段】
【０００７】
本発明のＲＦＩＤシステム構築方法は、ＲＦＩＤリーダのモードを通常モードから設定変更モードに移行するかの入力を受付けるステップと、モードを移行するステップと、無線タグがＲＦＩＤリーダに翳されたことを検知するステップと、検知するステップにより検知された無線タグからデータを読取るステップと、ＲＦＩＤリーダの設定変更の可否を判断するステップと、判断するステップによりＲＦＩＤリーダの設定変更が認められた場合に、読取るステップにより読取られた情報に基づいてＲＦＩＤリーダの設定を変更するステップと、変更するステップにより変更された設定の情報を保存するステップと、を有することを特徴とする。
【０００８】
本発明のＲＦＩＤシステム構築方法は、受付けるステップは、設定ボタンの押下によりＲＦＩＤリーダの通常モードから設定変更モードへの移行を受付けることを特徴とする。
【０００９】
本発明のＲＦＩＤシステム構築方法は、設定変更モードは、通常モードよりもＲＦＩＤリーダの出力電波が弱いことを特徴とする。
【００１０】
本発明のＲＦＩＤシステム構築方法は、検知するステップは、通常モードの電波よりも弱い電波を常に出力している無線タグ読取専用アンテナにより無線タグがＲＦＩＤリーダに翳されたことを検知し、移行するステップは、検知するステップにより無線タグがＲＦＩＤリーダに翳されたことを検知した場合に、設定変更モードへ移行することを特徴とする。
【００１１】
本発明のＲＦＩＤシステムは、無線タグと、少なくとも１以上のＲＦＩＤリーダと、情報処理装置と、を有するＲＦＩＤシステムであって、無線タグは、電波を送受信する電波送受信手段と、ＲＦＩＤリーダの設定内容を記録する記録手段と、を有し、ＲＦＩＤリーダは、電波を送受信する第１の電波送受信手段と、ＲＦＩＤリーダのモードを通常モードから設定変更モードに移行するかの入力を受付けるモード移行受付手段と、ＲＦＩＤの設定内容を保存する設定保持手段と、ＲＦＩＤの動作を制御する制御手段と、を有し、制御手段は、無線タグの記録手段に記録されたＲＦＩＤリーダの設定内容を読取り、該読取ったＲＦＩＤリーダの設定内容に基づいてＲＦＩＤリーダの設定内容を変更することを特徴とする。
【００１２】
本発明のＲＦＩＤシステムは、モード移行受付手段は、設定ボタンであることを特徴とする。
【００１３】
本発明のＲＦＩＤシステムは、制御手段は、モード移行受付手段により入力を受付けた場合は、第１の電波送受信手段の送信電波を前記通常モードよりも弱くし、第１の電波送受信手段は、無線タグが翳されたかを検知することを特徴とする。
【００１４】
本発明のＲＦＩＤシステムは、無線タグが翳されたかを検知する第２の電波送受信手段をさらに有し、第２の電波送受信手段は、常に通常モードの電波よりも弱い電波を送信することを特徴とする。
【発明の効果】
【００１５】
本発明によれば、無線タグの誤読取りを防ぎ、且つＲＦＩＤリーダ固有の設定を容易に行うことが可能となる。
【発明を実施するための最良の形態】
【００１６】
以下に本発明の実施形態の例について、図面を用いて詳細に説明する。
【００１７】
（実施形態１）
図１は、本実施形態に係るＲＦＩＤシステムの概略構成例を示す。本実施形態に係るＲＦＩＤシステムは、設定用無線タグ１００、ＲＦＩＤリーダ２００、ＲＦＩＤリーダ制御コンピュータ３００、を備える。設定用無線タグ１００は、ＲＦＩＤリーダの設定を行うためのタグである。ここで、設定用無線用タグ１００の形状は、例えば、ラベル型、カード型、コイン型、スティック型など様々な形状を適用することが可能であり、特に限定されるものではない。ＲＦＩＤリーダ２００は、無線タグを読み取る。ＲＦＩＤリーダ制御コンピュータ３００は、ＲＦＩＤリーダで発生した無線タグのイベントを受け取り、イベントに対応する処理を行う。
【００１８】
設定用無線タグ１００は、制御部１０１、アンテナ部１０２、記憶部１０３、ＲＦＩＤリーダ設定内容１０４、を有する。アンテナ部１０２は、電波の送受信を行う。記憶部１０３には、ユーザにより自由に情報が記録される。制御部１０１は、上記したアンテナ部１０２と記憶部１０３とその他様々な機能を制御する。また、記憶部１０３は、ＲＦＩＤリーダに設定するための設定項目１０４を記憶している。設定項目１０４には、あらかじめＲＦＩＤリーダ２００の動作環境ならびにイベントをＲＦＩＤリーダ制御コンピュータ３００へ通知するための設定情報が記録されている。
【００１９】
ＲＦＩＤリーダ２００は、制御部２０１、アンテナ部２０２、設定ボタン２０３、設定保持部２０４、を備える。アンテナ部２０２は、電波の送受信を行う。設定ボタン２０３は、ＲＦＩＤリーダ２００の環境設定を開始するトリガである。設定保持部２０４は、ＲＦＩＤリーダ２００が動作するための環境設定を保存している。制御部２０１は、上記アンテナ部２０２、設定ボタン２０３、設定保持部２０４等様々な機能を制御する。
【００２０】
図２は、本実施形態に係るＲＦＩＤシステムのＲＦＩＤリーダ２００固有の設定変更を行う流れを示す。次に、本実施形態に係るＲＦＩＤシステム構築方法の流れについて、図２に示すフローチャートを用いて説明する。
【００２１】
まず、ＲＦＩＤリーダ２００に設定を行うユーザが、ＲＦＩＤリーダ２００の設定ボタン２０３を押す（ステップＳ２０１）。すると、ＲＦＩＤリーダ２００の制御部２０１は、通常出力の電波送信を停止し（ステップＳ２０２）、ＲＦＩＤリーダ２００のアンテナ部２０１から送信する電波の出力を弱める（ステップＳ２０３）。すなわち、人やものを識別又は管理する通常モードから、ＲＦＩＤリーダの設定を行うための設定変更モードへ移行する。尚、アンテナ部２０１から送信する電波の出力を弱めるのは、付近にある他のタグを検知しないためである。
【００２２】
次に、設定用無線タグ１００のアンテナ部１０２は、ＲＦＩＤリーダ２００からの電波を受信すると、受信した電波のエネルギーを使い制御部１０１を起動する。制御部１０１は、応答波をアンテナ部１０２から送信する。
【００２３】
ＲＦＩＤリーダ２００のアンテナ部２０２は、設定用無線タグ１００からの応答波を受信すると、設定用無線タグ１００を検知したことをＲＦＩＤリーダ２００の制御部２０１に通知する。ＲＦＩＤリーダ２００の制御部２０１は、設定用無線タグ１００を検知すると（ステップＳ２０４／ＹＥＳ）、検知した無線タグのＲＦＩＤリーダ設定内容１０４の読取りを開始する（ステップＳ２０５）。ＲＦＩＤリーダ２００の制御部２０１は、ＲＦＩＤリーダ設定内容１０２を取得すると、ＲＦＩＤリーダ制御コンピュータ３００にＲＦＩＤリーダ設定変更イベントを送信する（ステップＳ２０６）。ＲＦＩＤリーダ制御コンピュータ３００は、ＲＦＩＤリーダ２００の設定変更の可否を判断する（ステップＳ２０７）。
【００２４】
ＲＦＩＤリーダ制御コンピュータ３００が、ＲＦＩＤリーダ２００の設定変更を認めない場合（ステップＳ２０７／ＮＯ）は、ＲＦＩＤリーダ２００は設定の変更作業を行わずに変更作業を終了する（ステップＳ２０９、ステップＳ２１０）。ＲＦＩＤリーダ２００の変更作業が認められた場合（ステップＳ２０７／ＹＥＳ）には、ＲＦＩＤリーダ２００の制御部２０１は、ＲＦＩＤリーダ２００の設定内容を更新し、設定保持部２０４に記録する（ステップＳ２０８）。そして、ＲＦＩＤリーダ２００の制御部２０１は、ＲＦＩＤリーダ２００のアンテナ部２０２から送信するＲＦＩＤリーダ設定用の電波送信を停止し（ステップＳ２０９）、通常出力の電波送信を開始する（ステップＳ２１０）。
【００２５】
尚、設定用無線タグのメモリのフォーマットなどはベンダー依存とする。また、上記通常出力の電波とは、ＲＦＩＤリーダ設定用ではなく、人やものを識別又は管理する場合に出力される電波を示している。
【００２６】
本実施形態により、ＰＣ上から各ＲＦＩＤリーダに対して設定を行う必要がなくなり、無線タグの読み取りを実行するだけでシステム構築を行うことが可能となる。これにより、システム構築を行うユーザの操作ミスを減少させることが可能となる。
【００２７】
また、本実施形態により、コンピュータを用いてＲＦＩＤリーダの設定を入力する必要がなくなり、ＲＦＩＤリーダに設置されたボタンを押し、無線タグを読み込ませるだけでＲＦＩＤリーダの設定変更作業を完了することが可能となる。これにより、システム構築を行うユーザの作業内容を単純化することが可能となり、ＲＦＩＤリーダ設定操作がさらに容易となる。
【００２８】
また、本実施形態により、ＲＦＩＤリーダは設定ボタンを有するので、ＲＦＩＤリーダは、ユーザが設定ボタンを押した場合にのみ設定変更を行う動作に移行することが可能となる。また、ユーザが設定ボタンを押した場合に、ＲＦＩＤリーダ設定用の弱い電波送信を開始するため、付近にある他のタグを検知することを防ぐことが可能となる。そのため、例えば、ＲＦＩＤリーダがＵＦＨ帯などの場合であっても、他のタグを検知せずに、意図するタグのみを検知させ、ＲＦＩＤリーダ固有の設定を容易に変更することが可能となる。尚、通常ＲＦＩＤリーダがＵＦＨ帯などの場合には、数メートル離れたタグを読取ってしまう。
【００２９】
（実施形態２）
図３は、本実施形態に係るＲＦＩＤシステムの概略構成例を示す。本実施形態に係るＲＦＩＤシステムが、上記実施形態１のＲＦＩＤシステムの概略構成例と異なるところは、ＲＦＩＤリーダ２００、２１０、２２０、２３０、２４０が複数存在している点である。各ＲＦＩＤリーダの構成は上記図１の構成と同じものとする。本実施形態では、設定用の無線タグ１００を１個用意しておき、全てのＲＦＩＤリーダで設定ボタンを押し、全てのＲＦＩＤリーダに設定用無線タグ１００を読み込ませることで、全てのＲＦＩＤリーダについて同じ設定をする。
【００３０】
本実施形態により、複数のＲＦＩＤリーダについて設定を行う場合であっても、操作ミスを減少させ、容易に複数のＲＦＩＤリーダの設定を変更することが可能となる。
【００３１】
（実施形態３）
図４は、本実施形態に係るＲＦＩＤシステムの概略構成例を示す。本実施形態に係るＲＦＩＤシステムが、上記実施形態１のＲＦＩＤシステムの概略構成と異なるところは、ＲＦＩＤリーダ２００が設定ボタンを有さず、代わりに設定用の無線タグを読取る専用のアンテナ部である設定用ＲＦＩＤタグ読取アンテナ部２０５を有する点である。
【００３２】
図５は、本実施形態に係るＲＦＩＤシステムにおけるＲＦＩＤリーダ２００固有の設定変更動作の処理の流れを示す。本実施形態では、ＲＦＩＤリーダ２００のアンテナ部２０２、ならびに設定用ＲＦＩＤタグ読取アンテナ部２０５では常に電波を出力している。そして、設定用ＲＦＩＤタグ読取アンテナ部２０５で無線タグ１００を検知した場合に、アンテナ部２０２からの電波出力を停止し、ＲＦＩＤリーダ２００の設定を更新する。その後、新しい設定を用いてアンテナ部２０２から電波出力を開始する。以下に本実施形態に係るＲＦＩＤリーダ２００の設定変更動作について、図５に示すフローチャートを用いて詳細に説明する。
【００３３】
図５のフローチャートに示すように、設定用ＲＦＩＤタグ読取アンテナ部２０５は常にＲＦＩＤリーダ設定用の弱い電波を送信している（ステップＳ５０１）。ＲＦＩＤリーダ２００のＲＦＩＤタグ読取アンテナ部２０５は、設定用無線タグ１００からの応答波を受信すると、設定用無線タグ１００を検知したことをＲＦＩＤリーダ２００の制御部２０１に通知する。ＲＦＩＤリーダ２００の制御部２０１は、設定用無線タグ１００を検知すると（ステップＳ５０２／ＹＥＳ）、検知した無線タグのＲＦＩＤリーダ設定内容１０４の読取りを開始する（ステップＳ５０３）。ＲＦＩＤリーダ２００の制御部２０１は、ＲＦＩＤリーダ設定内容１０２を取得すると、ＲＦＩＤリーダ制御コンピュータ３００にＲＦＩＤリーダ設定変更イベントを送信する（ステップＳ５０４）。ＲＦＩＤリーダ制御コンピュータ３００は、ＲＦＩＤリーダ２００の設定変更の可否を判断する（ステップＳ５０５）。
【００３４】
ＲＦＩＤリーダ制御コンピュータ３００が、ＲＦＩＤリーダ２００の設定変更を認めない場合（ステップＳ５０５／ＮＯ）は、ＲＦＩＤリーダ２００は設定の変更作業を行わずに変更作業を終了する。ＲＦＩＤリーダ２００の変更作業が認められた場合（ステップＳ５０５／ＹＥＳ）には、ＲＦＩＤリーダ２００の制御部２０１は、ＲＦＩＤリーダ２００の設定内容を更新し、設定保持部２０４に記録する（ステップＳ５０６）。そして、ＲＦＩＤリーダ２００の制御部２０１は、新しい設定に基づいた通常出力の電波送信を開始する（ステップＳ５０７）。尚、設定用無線タグのメモリのフォーマットなどはベンダー依存とする。
【００３５】
本実施形態により、設定ボタンを押すという処理を行わずに、ユーザの意図するタグを確実に検知させ、より容易にＲＦＩＤリーダの設定を変更することが可能となる。また、ＲＦＩＤリーダ設定用に常に送信される電波を弱い電波にすることで、付近にある他のタグを検知することを防ぎ、意図するタグのみを検知させてＲＦＩＤリーダ固有の設定を変更することが可能となる。
【００３６】
（実施形態４）
図６は、本実施形態に係るＲＦＩＤシステムの概略構成例を示す。本実施形態に係るＲＦＩＤシステムが、上記実施形態１のＲＦＩＤシステムの概略構成と異なるところは、設定用無線タグ１００の記憶部１０３にＲＦＩＤリーダ設定内容バックアップ１０５を有する点である。
【００３７】
図７は、本実施形態に係るＲＦＩＤシステムにおけるＲＦＩＤリーダ２００固有の設定変更動作の処理の流れを示す。図示するように、本実施形態では、設定用無線タグ１００のＲＦＩＤリーダ設定内容１０４を読み取る前に、ＲＦＩＤリーダ２００の現在の設定内容をＲＦＩＤリーダ設定内容バックアップ１０６に記録しておくことで、以前の設定内容を保持する。以下に本実施形態に係るＲＦＩＤリーダ２００の設定変更動作について、図７に示すフローチャートを用いて詳細に説明する。
【００３８】
まず、ＲＦＩＤリーダ２００に設定を行うユーザが、ＲＦＩＤリーダ２００の設定ボタン２０３を押す（ステップＳ７０１）。すると、ＲＦＩＤリーダ２００の現在の設定内容を、設定用無線タグ１００における記憶部１０３のＲＦＩＤリーダ設定内容バックアップ１０５に記録する（ステップＳ７０２）。そして、ＲＦＩＤリーダ２００の制御部２０１は、通常出力の電波送信を停止し（ステップＳ７０３）、ＲＦＩＤリーダ２００のアンテナ部２０１から送信する電波の出力を弱める（ステップＳ７０４）。すなわち、人やものを識別又は管理する通常モードから、ＲＦＩＤリーダの設定を行うための設定変更モードへ移行する。
【００３９】
次に、設定用無線タグ１００のアンテナ部１０２は、ＲＦＩＤリーダ２００からの電波を受信すると受信した電波のエネルギーを使い制御部１０１を起動する。制御部１０１は、応答波をアンテナ部１０２から送信する。
【００４０】
ＲＦＩＤリーダ２００のアンテナ部２０２は、設定用無線タグ１００からの応答波を受信すると、設定用無線タグ１００を検知したことをＲＦＩＤリーダ２００の制御部２０１に通知する。ＲＦＩＤリーダ２００の制御部２０１は、設定用無線タグ１００を検知すると（ステップＳ７０５／ＹＥＳ）、検知した無線タグのＲＦＩＤリーダ設定内容１０４の読取りを開始する（ステップＳ７０６）。ＲＦＩＤリーダ２００の制御部２０１は、ＲＦＩＤリーダ設定内容１０２を取得すると、ＲＦＩＤリーダ制御コンピュータ３００にＲＦＩＤリーダ設定変更イベントを送信する（ステップＳ７０７）。ＲＦＩＤリーダ制御コンピュータ３００は、ＲＦＩＤリーダ２００の設定変更の可否を判断する（ステップＳ７０８）。
【００４１】
ＲＦＩＤリーダ制御コンピュータ３００が、ＲＦＩＤリーダ２００の設定変更を認めない場合（ステップＳ７０８／ＮＯ）は、ＲＦＩＤリーダ２００は設定の変更作業を行わずに変更作業を終了する（ステップＳ７１０、ステップＳ７１１）。ＲＦＩＤリーダ２００の変更作業が認められた場合（ステップＳ７０８／ＹＥＳ）には、ＲＦＩＤリーダ２００の制御部２０１は、ＲＦＩＤリーダ２００の設定内容を更新し、設定保持部２０４に記録する（ステップＳ７０９）。そして、ＲＦＩＤリーダ２００の制御部２０１は、ＲＦＩＤリーダ２００のアンテナ部２０２から送信するＲＦＩＤリーダ設定用の電波送信を停止し（ステップＳ７１０）、通常出力の電波送信を開始する（ステップＳ７１１）。
【００４２】
尚、設定用無線タグのメモリのフォーマットなどはベンダー依存とする。また、上記ステップＳ７０２の処理は、上記ステップＳ７０６の処理の以前に行われれば、いつ行っても構わない。また、本実施形態では設定ボタンを有するＲＦＩＤリーダを例に挙げて説明したが、例えば、上述したような設定用ＲＦＩＤタグ読取アンテナ部を有するＲＦＩＤリーダ等にも適用することが可能である。しかし、その場合には、ＲＦＩＤリーダ設定用の電波送信は常に行われている。
【００４３】
また、現在の設定内容を設定用無線タグにおける記憶部のＲＦＩＤリーダ設定内容バックアップに記録する方法としては、上書記録であっても、現在までに変更された全ての設定内容を蓄積して記録する蓄積記録であってもよい。
【００４４】
本実施形態により、無線タグに書き込まれているＲＦＩＤリーダの設定内容を読み取る前に、ＲＦＩＤリーダの現在の設定内容をＲＦＩＤリーダ設定内容バックアップに記録しておくことで、以前の設定内容を保持しておくことが可能となる。これにより、ＲＦＩＤリーダに不具合が生じた場合などには、ユーザは設定用無線タグに記録されたバックアップをメーカなどの専門家に容易に提示することが可能となり、不具合の修理及び対応などを迅速に行うことが可能となる。
【００４５】
（実施形態５）
図８は、本実施形態に係るＲＦＩＤシステムの概略構成例を示す。本実施形態に係るＲＦＩＤシステムが、上記実施形態１のＲＦＩＤシステムの概略構成と異なるところは、ＲＦＩＤリーダ２００がタイマ部２０６を有する点である。
【００４６】
図９は、本実施形態に係るＲＦＩＤシステムにおける設定変更動作の処理の流れを示す。本実施形態では、設定ボタン２０３が押された後にタイマ部２０６が動作を開始し、指定された時間以内に設定用無線タグ１００が検知できない場合はＲＦＩＤリーダ２００の設定変更処理を停止する。以下に本実施形態に係るＲＦＩＤリーダ２００の設定変更動作について、図９に示すフローチャートを用いて詳細に説明する。
【００４７】
まず、ＲＦＩＤリーダ２００に設定を行うユーザが、ＲＦＩＤリーダ２００の設定ボタン２０３を押す（ステップＳ９０１）。すると、ＲＦＩＤリーダ２００の制御部２０１は、通常出力の電波送信を停止し（ステップＳ９０２）、ＲＦＩＤリーダ２００のアンテナ部２０１から送信する電波の出力を弱める（ステップＳ９０３）。すなわち、人やものを識別又は管理する通常モードから、ＲＦＩＤリーダの設定を行うための設定変更モードへ移行する。
【００４８】
ここで、無線タグを検知しなかった場合（ステップＳ９０４／ＮＯ）、ＲＦＩＤリーダ２００のタイマ部２０６に基づいて、所定の時間が経過したか否かを判断する（ステップＳ９１１）。所定時間が経過していない場合（ステップＳ９１１／ＮＯ）には、上記ステップＳ９０４の処理に戻り、無線タグが検知されたか否かを判断する。一方、所定時間が経過した場合（ステップＳ９１１／ＹＥＳ）は、ＲＦＩＤリーダ設定用の電波送信を停止し（ステップＳ９１０）、通常出力の電波送信を開始することにより、ＲＦＩＤリーダ２００の設定変更処理を停止する。
【００４９】
尚、上記ステップＳ９０４の処理において無線タグ１００が検知された場合（ステップＳ９０４／ＹＥＳ）の以下の処理は、上記実施形態１の処理と同様であるためここでは説明を省略する。
【００５０】
また、本実施形態では設定ボタンを有するＲＦＩＤリーダを例に挙げて説明したが、例えば、上述したような設定用ＲＦＩＤタグ読取アンテナ部を有するＲＦＩＤリーダ等にも適用することが可能である。しかし、その場合には、ＲＦＩＤリーダ設定用の電波送信は常に行われている。
【００５１】
本実施形態により、誤って設定ボタンを押してしまった場合であっても、所定時間が経過した後には、自動的に設定変更モードから通常モードに移行することで、無線タグの読取が可能となる。
【００５２】
（実施形態６）
図１０は、本実施形態に係るＲＦＩＤシステムの概略構成例を示す。本実施形態に係るＲＦＩＤシステムが、上記各実施形態のＲＦＩＤシステムの概略構成と異なるところは、ＲＦＩＤリーダ２００がＵＳＢ（Universal Serial Bus）インターフェース２０７を有する点である。本実施形態では、ＵＳＢインターフェース２０７にＵＳＢメモリを接続することで、自動的にＵＳＢメモリからＲＦＩＤリーダ２００の動作環境を取得して、ＲＦＩＤリーダ２００の設定を変更する。
【００５３】
本実施形態により、ＵＳＢインターフェースにＵＳＢメモリを接続するだけで、ＲＦＩＤリーダの設定を変更することが可能となり、システム構築を行うユーザの操作を容易にし、ミスを減少させることが可能となる。
【００５４】
尚、本実施形態では、ＲＦＩＤリーダに接続する外部装置の例としてＵＳＢメモリを例に挙げて説明したが、これに限定されるものではないことは言うまでもない。
【００５５】
尚、各図のフローチャートに示す処理を、制御部が実行するためのプログラムは本発明によるプログラムを構成する。このプログラムを記録するコンピュータ読み取り可能な記録媒体としては、半導体記憶部や光学的及び／又は磁気的な記憶部等を用いることができる。このようなプログラム及び記録媒体を、前述した各実施形態とは異なる構成のシステム等で用い、そこの制御部で上記プログラムを実行させることにより、本発明と実質的に同じ効果を得ることができる。
【００５６】
以上好適な実施の形態に基づき具体的に説明したが、本発明は上述したＲＦＩＤシステム構築方法及びＲＦＩＤシステムに限定されるものではなく、その要旨を逸脱しない範囲で種々変更可能であるということは言うまでもない。
【図面の簡単な説明】
【００５７】
【図１】本実施形態に係るＲＦＩＤシステムの概略構成例を示すブロック図である。
【図２】本実施形態に係るＲＦＩＤシステムにおける設定変更動作の処理の流れを示すフローチャートである。
【図３】本実施形態に係るＲＦＩＤシステムの概略構成例を示すブロック図である。
【図４】本実施形態に係るＲＦＩＤシステムの概略構成例を示すブロック図である。
【図５】本実施形態に係るＲＦＩＤシステムにおける設定変更動作の処理の流れを示すフローチャートである。
【図６】本実施形態に係るＲＦＩＤシステムの概略構成例を示すブロック図である。
【図７】本実施形態に係るＲＦＩＤシステムにおける設定変更動作の処理の流れを示すフローチャートである。
【図８】本実施形態に係るＲＦＩＤシステムの概略構成例を示すブロック図である。
【図９】本実施形態に係るＲＦＩＤシステムにおける設定変更動作の処理の流れを示すフローチャートである。
【図１０】本実施形態に係るＲＦＩＤシステムの概略構成例を示すブロック図である。
【符号の説明】
【００５８】
１００    設定用無線タグ
１０１    制御部
１０２    アンテナ部
１０３    記憶部
１０４    ＲＦＩＤリーダ設定内容
１０５    ＲＦＩＤリーダ設定内容バックアップ
２００    ＲＦＩＤリーダ
２０１    制御部
２０２    アンテナ部
２０３    設定ボタン
２０４    設定保持部
２０５    設定用ＲＦＩＤタグ読取アンテナ部
２０６    タイマ部
２０７    ＵＳＢインターフェース部
２１０    ＲＦＩＤリーダ
２２０    ＲＦＩＤリーダ
２３０    ＲＦＩＤリーダ
２４０    ＲＦＩＤリーダ
３００    ＲＦＩＤ制御コンピュータ
【図１】
2010097280.tif 000003
【図２】
2010097280.tif 000004
【図３】
2010097280.tif 000005
【図４】
2010097280.tif 000006
【図５】
2010097280.tif 000007
【図６】
2010097280.tif 000008
【図７】
2010097280.tif 000009
【図８】
2010097280.tif 000010
【図９】
2010097280.tif 000011
【図１０】
2010097280.tif 000012